(57)【特許請求の範囲】
【請求項１】
引き違い状に配した少くとも３枚の戸における上下の枠部材を、樹脂材料の成形品とし、かつこれらの戸のうち、前後方向に隣り合うものの互いに対向する面に、これら隣り合う戸を連動させるようになっており、かつ係合し合う側面を、互いに同じ向きに傾斜する傾斜面とした中空状の連動突部を、前記樹脂材料からなる枠部材とともに、一体成形したことを特徴とする引き違い戸の連動装置。
【発明の詳細な説明】
【０００１】
【発明の属する技術分野】
本発明は、引き違い戸の連動装置、特に、事務用キャビネットのような書庫における、３枚のガラス戸からなる引き違いガラス戸を互いに連動させる装置に関する。
【０００２】
【従来の技術】
事務用キャビネット等において、開口間口を広くするため、引き違い戸を３枚以上で構成することがある。
【０００３】
【発明が解決しようとする課題】
上述のように、キャビネット等の開口間口を広くするために、引き違い戸を３枚以上で構成すると、中央の戸が定位されず、閉める都度、中央の戸の位置を注意して定めなければならず、面倒である。
また、開く際には、途中から２枚の戸を押してゆかなければならず、閉じる際には、途中で中央の戸から手を外し、１枚の戸だけを押してゆくという手間をかける必要がある。
【０００４】
本発明は、少くとも３枚の引き違い戸を互いに連動させ、端部の戸を操作することにより、全部の戸を開閉できるようにすることを目的とする。
【０００５】
【課題を解決するための手段】
本発明によると、上記課題は、次のようにして解決される。
引き違い状に配した少くとも３枚の戸における上下の枠部材を、樹脂材料の成形品とし、かつこれらの戸のうち、前後方向に隣り合うものの互いに対向する面に、これら隣り合う戸を連動させるようになっており、かつ係合し合う側面を、互いに同じ向きに傾斜する傾斜面とした中空状の連動突部を、前記樹脂材料からなる枠部材とともに、一体成形する。
【０００６】
【発明の実施の形態】
図１は、３枚の引き違いガラス戸(1a)(1b)(1c)を前面開口部に備える事務用キャビネット(Ａ)の正面図である。図２は、左端のガラス戸(1a)を拡大して示している。
【０００７】
図２のガラス戸(1a)に代表して示すように、各ガラス戸のガラス板(２)の上下端には、それぞれ上部枠部材(３)及び下部枠部材(４)を取り付けてある。
【０００８】
上部枠部材(３)及び下部枠部材(４)は、例えば耐衝撃性ＡＢＳ樹脂のような樹脂材料の成形品であって、ガラス戸(1a)(1b)(1c）の下部枠部材(４)の横断面を、図３に示してある。
上部枠部材(３)も、同様の断面のものである。
【０００９】
図３に示すように、左端のガラス戸(1a)は、後側に配設されるもので、その下部枠部材(４)の前面左端には引き手(５)が、同じく右端には連動突部(６)が形成されている。
【００１０】
連動突部(６)は、下部枠部材(４)と一体をなして前方に突出する中空状のブロックで、その左右両側面は、付根が狭くなる向きに傾斜する傾斜面(6a)(6b)となっている。
【００１１】
中央のガラス戸(1b)の下部枠部材(４)の後面の左端には連動突部(７)が、同じく後面の右寄りには連動突部(８)が設けられている。連動突部(７)の右側面は、上述の連動突部(６)の左側面と同じ向きに傾斜する傾斜面(7a)となっており、連動突部(８)の左側面は、前記連動突部(６)の右側面と同じ向きに傾斜する傾斜面(8a)となっている。
この下部枠部材(４)の前面の右端には、両側面を根元が狭くなる向きに傾斜する傾斜面(9a)(9b)とした連動突部(９)が設けられている。
いずれの連動突部(７)(８)(９)も、前述の連動突部(６)と同じく、下部枠部材(４)と一体に成形された中空状のブロックである。
【００１２】
右端のガラス戸(1c)は、中央のガラス戸(1b)の前に配置されるもので、その下部枠部材(４)の後面の左端には連動突部(10)、同じく右端には連動突部(11)が、また前面の右寄りには引き手(５)が設けられている。
連動突部(10)は、右側面が根元が狭くなる向きに傾斜する傾斜面(10a)となっており、連動突部(11)の左側面は、前記連動突部(９)の右側面と同様の傾斜面(11a)となっている。
いずれの連動突部(10)(11)も、前述の連動突部(６)と同じく、下部枠部材(４)と一体に成形された中空状のブロックである。
【００１３】
隣り合うガラス戸における連動突部は、互いに側面同士が当接するようになっている。
【００１４】
図４は、ガラス戸(1b)(1c)の端部を下方から見た部分拡大図であり、連動突部(９)の傾斜面(9b)は、連動突部(11)の傾斜面(11a)と当接した状態にある。
【００１５】
次に、このような引き違いガラス戸(1a)(1b)(1c)の連動動作について説明する。
図３において、前側のガラス戸(1c)を、引き手(５)を掴んで右方に引くと、このガラス戸(1c)の連動突部(10)が、中央のガラス戸(1b)の連動突部(９)に係合して、ともに移動し、中央のガラス戸(1b)の連動突部(７)が後側の一番奥のガラス戸(1a)の連動突部(６)に当接した状態で、戸は閉まり切る。
【００１６】
このように閉じたガラス戸を開くには、前側のガラス戸(1c)の引き手(５)を掴んで左方に引くと、連動突部(11)が、中央のガラス戸(1b)の連動突部(９)に係合してともに移動し、中央のガラス戸(1b)の連動突部(８)が、後側のガラス戸(1a)の連動突部(６)に当接した状態で全開となる。
【００１７】
ガラス戸を開く場合、後側のガラス戸(1a)の引き手(５)を握って右に引いてゆくと、連動突部の同じような係合により、全部のガラス戸を右側に寄せることができる。
【００１８】
【発明の効果】
本発明によれば、１枚のガラス戸を引くことだけで、全部のガラス戸を連動して広く開けたり、また、全部のガラス戸を所定の位置に配置して閉めることができる。
【００１９】
また、連動突部を枠部材とともに樹脂で一体成形し、かつこの連動突部を中空状に形成してあるから、製造コストが低廉であるばかりでなく、中空部の存在のため、連動突部同士の衝撃が緩和され、衝突音も低減する。
【００２０】
係合し合う連動突部の側面を、互いに同じ向きに傾斜する傾斜面としてあるから、連動する際に互いに引き付け合い、ガタつくことなく連動させることができる。
【図面の簡単な説明】
【図１】  本発明を実施した３枚の引き違いガラス戸を備える事務用キャビネットの正面図である。
【図２】  図１の左端のガラス戸を、中間を省略して示す拡大正面図である。
【図３】  図１及び図２のIII−III線に沿う３枚のガラス戸の下部枠部材の横断面を、一部を省略し、かつ間を離して示す拡大横断面図である。
【図４】  右端のガラス戸と中央のガラス戸を、下方から見た部分拡大底面図である。
【符号の説明】
(Ａ)事務用キャビネット
(1a)(1b)(1c)ガラス戸
(２)ガラス板
(３)上部枠部材
(４)下部枠部材
(５)引き手
(６)連動突部
(6a)(6b)傾斜面
(７)連動突部
(7a)傾斜面
(８)連動突部
(8a)傾斜面
(９)連動突部
(9a)(9b)傾斜面
(10)連動突部
(10a)傾斜面
(11)連動突部
(11a)傾斜面
【図１】
0003640044.tif 000002
【図２】
0003640044.tif 000003
【図３】
0003640044.tif 000004
【図４】
0003640044.tif 000005